(57)【要約】【課題】小形の容器から大形の容器まで種々の大きさの容器に対応し安定して保持することのできるホルダを提供する。【解決手段】容器の底面を支持する底面支持部と容器の側面を支持する側面支持部とを持つ容器支持部材を、筒部を持つホルダに設ける。そして、容器支持部材のうち少なくとも底面支持部を、筒部の径方向内方に移動し筒部の内周面から突出する突出位置と、筒部の径方向外方へ移動した退避位置との間で変位可能なものとする。ホルダに大形の容器を保持する場合には底面支持部を退避位置に変位させ、ホルダに小形の容器を保持する場合には底面支持部を突出位置に変位させることで、種々の大きさの容器を安定して保持することができる。【選択図】図１
2005059833.tif 000002
【特許請求の範囲】
【請求項１】
上部に開口するとともに容器が挿入される筒部と、該筒部に拡縮径自在に保持されるとともに挿入された該容器の底面を支持する底面支持部および該容器の側面を支持する側面支持部を備える容器支持部材と、を持つホルダであって、
少なくとも前記底面支持部は、前記筒部の径方向内方へ移動し前記筒部の内周面から突出する突出位置と、前記筒部の径方向外方へ移動した退避位置と、の間で変位可能であることを特徴とするホルダ。
【請求項２】
前記容器支持部材は、前記筒部に対して同軸的に回動可能な回動部材と、該回動部材の内側に拡縮径自在に配置され前記底面支持部および前記側面支持部を持つ押圧部材とを備え、該回動部材の回動に伴って該押圧部材が拡縮径しながら回動する請求項１に記載のホルダ。
【請求項３】
前記容器支持部材は前記押圧部材と干渉する干渉部を持ち、前記押圧部材は該干渉部と干渉しながら回動することで拡縮径する請求項２に記載のホルダ。
【請求項４】
前記容器支持部材は、さらに、前記回動部材と前記押圧部材の間に介在し押圧部材を縮径方向に付勢する第１の付勢部材を持つ請求項３に記載のホルダ。
【請求項５】
前記側面支持部は、前記突出位置において前記筒部の径方向内方へ移動し前記筒部の内周面から突出するとともに、前記退避位置において前記筒部の径方向外方へ移動する請求項１に記載のホルダ。
【請求項６】
さらに、少なくとも前記側面支持部を枢支する回動軸を持ち、前記側面支持部の変位は該回動軸を中心とする回動によっておこなわれる請求項５に記載のホルダ。
【請求項７】
前記回動軸は前記筒部の底面に対して略平行に設けられている請求項６に記載のホルダ。
【請求項８】
前記側面支持部は押圧面を持ち、前記容器によって該押圧面が押圧されることで前記側面支持部は回動して前記退避位置方向に変位し、前記底面支持部は前記側面支持部の回動に連動して前記退避位置方向に変位する請求項６に記載のホルダ。
【請求項９】
前記底面支持部の変位は、前記側面支持部の回動に連動した回動によっておこなわれる請求項８に記載のホルダ。
【請求項１０】
前記底面支持部の変位は、前記側面支持部の回動に連動したスライドによっておこなわれる請求項８に記載のホルダ。
【請求項１１】
前記側面支持部は前記退避位置方向に変位する際に前記容器と係止する係止部を持つ請求項５に記載のホルダ。
【請求項１２】
さらに、前記容器支持部材を付勢して前記底面支持部と前記側面支持部とのうち少なくとも一方を前記突出位置方向に変位させる第２の付勢部材を持つ請求項１に記載のホルダ。
【請求項１３】
前記回動軸は前記筒部の底面に対して略垂直に設けられている請求項６に記載のホルダ。
【請求項１４】
前記側面支持部および前記底面支持部の回動は、前記回動軸が前記筒部の外周を相対的にスライドすることでおこなわれる請求項９に記載のホルダ。
【請求項１５】
前記底面支持部と前記側面支持部とは一体に形成されている請求項５に記載のホルダ。
【発明の詳細な説明】
【技術分野】
【０００１】
本発明は、自動車等に配設され、飲料の入った缶やペットボトル、カップ等の容器を保持するためのホルダに関する。
【背景技術】
【０００２】
飲料用の容器には種々の形状がある。近年、これら種々の形状の容器を安定して保持するために、容器の底面のみならず側面をも支持するホルダが開発されている（例えば、特許文献１〜３）。
【０００３】
特許文献１に記載の従来のホルダを表す模式断面図を図２８〜図３０に示す。図２８のホルダ２００は、容器２０１が挿入される窪み２０２と、ピン２０３を中心に回動自在に配置されたアーム２０４とを有するものである。このホルダ２００は以下のように動作する。
【０００４】
小形の容器２０１を保持する場合には、窪み２０２内部に容器２０１を挿入すると、図２８に示すように、窪み２０２下方から窪み２０２内部に突出するアーム２０４の下側端部２０５が容器２０１の底面２０６に接し、アーム２０４の下側端部２０５は容器２０１の重みによって窪み２０２下方に押圧される。この押圧によってアーム２０４が回動し、図２９に示すように、アーム２０４の上側に位置するカップ押さえ部２０７が容器２０１の側面２０８に圧接する。したがって、容器２０１はカップ押さえ部２０７によって側面２０８を支持されて安定して保持されることとなる。
【０００５】
ここで、近年容器の種類はさらに多岐にわたるものとなり、容器のサイズもまた多岐にわたるものとなってきている。例えば、コーヒーショップやハンバーガーショップで販売されているＬやＸＬ等の飲料を入れるカップや、５００ｍｌ容のペットボトル等は非常に大形のものであり、一方、１８０ｍｌ容の缶等は非常に小形のものである。
【０００６】
上述した図２８〜図３０に示す従来のホルダにおいては、このように種々のサイズの容器を保持する場合、例えば小形の容器を保持する場合には、図２９に示すようにアーム２０４が大きく回動してカップ押さえ部２０７が容器２０１の側面２０８を支持する。一方、アーム２０４の下側端部２０５は回動によって窪み２０２外部に配置され、容器２０１の底面２０６は窪み２０２の底面２１０によって支持される。したがって、この場合、容器２１０は窪み２０２内部の低い位置で支持されることとなり、容器２０１のうち窪み２０２の上方への突出量が非常に小さくなるため、容器２０１の取り出し操作がし難くなる問題があった。
【０００７】
また、大形の容器２０１を保持する場合には、図３０に示すように、容器２０１の底面２０６にアーム２０４の下側端部２０５が干渉するため、容器２０１の底面２０６を窪み２０２内部の低い位置にまで挿入することは困難となる。このため、容器２０１は窪み２０２内部の高い位置で支持されることとなり、容器のうち窪みの上方に表出する部分は非常に大きなものとなるため、容器を安定して保持し難くなる問題があった。
【０００８】
特許文献２および特許文献３に示されるホルダにおいても同様に、小形の容器を保持する場合には容器の取り出し操作がし難く、大形の容器を保持する場合には容器を安定して保持し難くなる問題があった。
【特許文献１】実開平４−１１０６３０号公報
【特許文献２】実開昭５７−６７８３８号公報
【特許文献３】特開平９−２２６４３６号公報
【発明の開示】
【発明が解決しようとする課題】
【０００９】
本発明は上記事情に鑑みてなされたものであり、小形の容器から大形の容器まで種々の大きさの容器に対応し安定して保持することのできるホルダを提供することを目的とする。
【課題を解決するための手段】
【００１０】
本発明のホルダは、上部に開口するとともに容器が挿入される筒部と、筒部に拡縮径自在に保持されるとともに挿入された容器の底面を支持する底面支持部および容器の側面を支持する側面支持部を備える容器支持部材と、を持つホルダであって、少なくとも上記底面支持部は、上記筒部の径方向内方へ移動し上記筒部の内周面から突出する突出位置と、上記筒部の径方向外方へ移動した退避位置と、の間で変位可能であることを特徴とする。
【００１１】
上記容器支持部材は、上記筒部に対して同軸的に回動可能な回動部材と、回動部材の内側に拡縮径自在に配置され上記底面支持部および上記側面支持部を持つ押圧部材とを備え、回動部材の回動に伴って押圧部材が拡縮径しながら回動する構成とすることができる。このとき、上記容器支持部材は上記押圧部材と干渉する干渉部を持ち、上記押圧部材は干渉部と干渉しながら回動することで拡縮径することが好ましく、上記容器支持部材は、さらに、上記回動部材と上記押圧部材の間に介在し押圧部材を縮径方向に付勢する第１の付勢部材を持つことが望ましい。
【００１２】
上記側面支持部は、上記突出位置において上記筒部の径方向内方へ移動し上記筒部の内周面から突出するとともに、上記退避位置において上記筒部の径方向外方へ移動する構成とすることができる。
【００１３】
本発明のホルダは、さらに、少なくとも上記側面支持部を枢支する回動軸を持ち、上記側面支持部の変位は回動軸を中心とする回動によっておこなうことができる。
【００１４】
上記回動軸は上記筒部の底面に対して略平行に設けることができる。
【００１５】
上記側面支持部は押圧面を持ち、上記容器によって押圧面が押圧されることで上記側面支持部は回動して上記退避位置方向に変位し、上記底面支持部は上記側面支持部の回動に連動して上記退避位置方向に変位する構成とすることができる。
【００１６】
上記底面支持部の変位は、上記側面支持部の回動に連動した回動によっておこなうことができる。
【００１７】
上記底面支持部の変位は、上記側面支持部の回動に連動したスライドによっておこなわうことができる。
【００１８】
上記側面支持部は上記退避位置方向に変位する際に上記容器と係止する係止部を持つ構成とすることができる。
【００１９】
本発明のホルダは、さらに、上記容器支持部材を付勢して上記底面支持部と上記側面支持部とのうち少なくとも一方を上記突出位置方向に変位させる第２の付勢部材を持つ構成とすることができる。
【００２０】
上記回動軸は上記筒部の底面に対して略垂直に設けることができる。
【００２１】
上記側面支持部および上記底面支持部の回動は、上記回動軸が上記筒部の外周を相対的にスライドすることでおこなうことができる。
【００２２】
上記底面支持部と上記側面支持部とは一体に形成されている構成とすることができる。
【発明の効果】
【００２３】
本発明のホルダは、容器支持部材が拡縮径自在であり、少なくとも底面支持部が突出位置と退避位置との間で変位可能となっている。底面支持部は、突出位置においては筒部の径方向内方に移動して筒部の内周面から突出する。そして、待避位置においては筒部の径方向外方に移動する。
【００２４】
したがって、小形の容器を保持する際には、底面支持部を突出位置に配置することで、容器の底面を底面支持部で支持することができる。このとき、容器の底面は底面支持部によって筒部内部の高い位置で支持されるため、容器の筒部上方への突出量は大きくなる。このため、容器の取り出し操作は非常に容易におこなわれることとなる。
【００２５】
そして、大形の容器を保持する際には、底面支持部を退避位置に変位させる。この場合には、底面支持部は容器の筒部内部への挿入に干渉しない位置にまで変位しているため、大形の容器を挿入することが可能となる。このとき、容器の底面は底面支持部で支持するときよりも低い位置にまで挿入されて筒部の底面か容器支持部材の一部に支持される。このため、本発明のホルダでは大径の容器を筒部内部の低い位置で支持することが可能となり、容器を安定して保持することが可能となる。これらのことから、本発明のホルダによると、小形の容器から大形の容器まで種々の大きさの容器に対応し安定して保持することが可能となる。
【発明を実施するための最良の形態】
【００２６】
本発明のホルダは、自動車の車室内のみならず飛行機、映画館、野球場をはじめとする種々の場所に設置して使用することができる。
【００２７】
本発明のホルダは、筒部と、容器支持部材と、を持つ。筒部の大きさや形状は特に限定されない。例えばホルダを車室内に設置する場合には、センターコンソールボックス等の内装部材に筒部を設けることもできるし、筒部を各種内装部材と独立して設置することもできる。
【００２８】
筒部は、筒底部を構成する底面と筒側部を構成する側面を持ち、容器支持部材を保持する。
【００２９】
容器支持部材は、筒部に挿入された容器の底面を支持する底面支持部と、筒部に挿入された容器の側面を支持する側面支持部とを備えるとともに、筒部に拡縮径自在に保持される。また、容器支持部材のうち少なくとも底面支持部は、突出位置と退避位置との間で変位可能である。上述したように、突出位置は、少なくとも底面支持部が筒部の径方向内方へ移動し筒部の内周面から突出する位置であり、筒部に挿入された容器の底面を底面支持部で支持することが可能となる位置である。また、退避位置は、少なくとも底面支持部が筒部の径方向外方へ移動した位置であり、容器の筒部への挿入に底面支持部が干渉しない位置である。
【００３０】
少なくとも底面支持部が突出位置に配置される場合には、容器はその底面を底面支持部によって支持されるため筒部内部の高い位置で保持されることとなる。また、少なくとも底面支持部が退避位置に配置される場合には、容器はその底面を筒部の底面かあるいは底面支持部位外の容器支持部材の部分によって支持されることとなり、筒部内部の低い位置で保持されることとなる。
【００３１】
ここで、底面支持部だけが突出位置と退避位置との間で変位するのではなく、容器支持部材に設けられている側面支持部もまた同様に突出位置と退避位置との間で変位可能とすることもできる。この場合には、側面支持部もまた、突出位置において径方向内方へ移動し筒部の内周面から突出し、退避位置において筒部の径方向外方へ移動する。
【００３２】
なお、容器支持部材の拡縮径とは、容器支持部材の少なくとも一部によって構成される筒部の内部空間の拡縮径を指す。すなわち、底面支持部と側面支持部とのうち少なくとも一方が突出位置に配置されると、筒部の内部空間には容器支持部材の少なくとも一部が突出する。そして、この突出量だけ筒部の内部空間が縮径する。本明細書においては、このときの容器支持部材の状態を縮径しているという。また、底面支持部と側面支持部とのうち少なくとも一方が退避位置に配置されると、筒部の内部空間における容器支持部材の突出量はなくなるかあるいは非常に小さくなるため、筒部の内部空間は拡径する。本明細書において、このときの容器支持部材の状態を拡径しているという。
【００３３】
本発明のホルダにおいては、少なくとも底面支持部は突出位置と退避位置との間を変位可能である。このため、この突出位置と退避位置との間の位置においては、底面支持部の筒部内部への突出量は種々の大きさとなり、容器支持部材は種々の大きさに拡縮径する。また、例えば底面支持部のみならず側面支持部もまた突出位置と退避位置との間を変位可能である場合には、さらに、側面支持部の筒部内部への突出量も種々の大きさとなる。また、容器支持部材は、側面支持部のみが突出位置に配置されている状態や、底面支持部のみが突出位置に配置されている状態をとりうる。これらのことにより、容器の大きさや形状に応じて底面支持部や側面支持部の突出量を適宜調整して容器支持部材を種々の大きさに拡縮径することで、種々の容器に対応し安定して保持することが可能となる。
【００３４】
底面支持部は、突出位置において容器の底面を支持可能であるとともに退避位置において容器の挿入に干渉しない形状であれば良く、種々の形状に形成することができる。また、側面支持部を突出位置と退避位置との間で変位可能に設ける場合には、側面支持部もまた同様に突出位置において容器の側面を支持可能であるとともに退避位置において容器の挿入に干渉しない形状であれば良く、種々の形状に形成することができる。
【００３５】
さらに、底面支持部および側面支持部の少なくとも容器に当接する表面には、容器を安定して支持するための滑り止め部を設けることが好ましい。滑り止め部は、底面支持部や側面支持部に一体に形成することもできるし、あるいは別体で形成して一体化することもできる。また滑り止め部は、例えばゴム等の弾性材料からなるものであっても良いし、あるいは、摩擦係数の高い材料からなるものであっても良い。さらに、滑り止め部はその表面が凹凸形状となるように形成されたものであってもよい。滑り止め部を弾性材料からなるものとする場合には、底面支持部や側面支持部が容器に当接する際に滑り止め部が押圧されて容器の形状に沿った形状に変形するため、容器の保持がより安定しておこなわれることとなる。また、滑り止め部を摩擦係数の高い材料からなるものとする場合や滑り止め部の表面を凹凸形状とする場合、例えば、滑り止め部を微細な凹凸を持つものとする場合には、底面支持部や側面支持部が容器に当接する際に、滑り止め部が容器と摩擦係合するため、容器の保持がより安定しておこなわれることとなる。
【００３６】
本発明のホルダにおいて、容器支持部材は筒部の内部に保持することもできるし、筒部の内外を出入自在となるように保持することもできる。
【００３７】
容器支持部材が筒部の内外を出入自在である場合には、筒部の側面と底面とのうち少なくとも一方には、底面支持部が出入する通過口が設けられる。この場合、底面支持部はこの通過口を通って筒部の内外を出入することで突出位置と退避位置との間で変位する。さらに、容器支持部材に側面支持部を設け、容器支持部もまた突出位置と退避位置との間で変位する構成とする場合には、同様に筒部の側面と底面のうち少なくとも一方に側面支持部が出入りする通過口を設ける。側面支持部が出入する通過口と、底面支持部が出入する通過口とは、同一の通過口であってもよいし、異なる通過口であってもよい。
【００３８】
本発明のホルダにおいて、底面支持部のみ、あるいは底面支持部および側面支持部が突出位置と退避位置との間を変位する。底面支持部や側面支持部の変位は種々の方法でおこなうことができる。例えば、底面支持部や側面支持部を枢支する回動軸をホルダに設け、底面支持部や側面支持部の変位をこの回動軸を中心とする回動によっておこなうこともできる。この回動軸は種々の方向に設けることができるが、筒部の底面に対して略平行に設けるかあるいは筒部の底面に対して略垂直に設けることが好ましい。容器を水平に保持することが容易になるからである。回動軸を筒部の底面に対して平行に設ける場合を第１の実施形態とし、回動軸を筒部の底面に対して垂直に設ける場合を第２の実施形態として以下に説明する。
【００３９】
（第１の実施形態）
本発明の第１の実施形態のホルダを表す模式断面図を図１〜４に示す。
【００４０】
本第１の実施形態のホルダ１において、筒部２は箱状の本体３に穿設されている。筒部２は、その上部が本体３の外部に開口するとともに、上端が下端よりも広口になった略筒状に形成されている。筒部２の略等間隔の４箇所には、筒部２の上側から下側へ伸びるスリット状の通過口５が設けられている。この通過口５は後述する容器支持部材６のうち側面支持部７と底面支持部８とが筒部２の内外を出入する際の出入口となっている。
【００４１】
本第１の実施形態において、底面支持部８と側面支持部７とは一体に形成され、さらに、穴状の回動中心１０をもつ回動枢支部１１が一体化されて分体４を構成している。そして４つの分体４が容器支持部材６を構成している。以下、本明細書においては、容器支持部材６の上下とは、ホルダ１に容器が挿入されていない状態で底面支持部８が突出位置に配置されているとき（以下、開放位置と呼ぶ）の上下を指すものとする。
【００４２】
側面支持部７は上下に延びる略長方形の形状を持ち、底面支持部８は側面支持部７の下端側から略直角方向に突出している。また、回動枢支部１１は側面支持部７の下端側から底面支持部８と反対方向に突出している。
【００４３】
本第１の実施形態のホルダ１には、さらに、筒部２の底面１２に対して平行に伸びる回動軸（図示せず）が設けられている。回動枢支部１１の回動中心１０はこの回動軸に枢支され、容器支持部材６は回動軸を中心に回動するようになっている。側面支持部７のうち容器に当接する部分には、ゴム製の滑り止め部材１３が接着により一体化されている。容器を保持する際にこの滑り止め部材１３が容器に当接することで、容器の保持はより安定におこなわれる。
【００４４】
さらに、このホルダ１には側面支持部７の突出位置方向の変位を付勢する第２の付勢部材１５が設けられている。この第２の付勢部材１５は板バネからなるものであり、一端が本体３に固定されるとともに他端が容器支持部材６に固定されている。ホルダ１に容器が挿入されると、この第２の付勢部材１５は弾性変形するため、底面支持部８および側面支持部７は退避位置に変位して容器支持部材６は拡径する。また、ホルダ１に容器が挿入されない状態においては、この第２の付勢部材１５の付勢力によって底面支持部８および側面支持部７は突出位置方向に変位して容器支持部材６は縮径する。なお、本第１の実施形態のホルダ１においては第２の付勢部材１５として板バネからなるものを用いているが、これに限らず容器支持部材６の突出位置方向の変位を付勢可能なものであればよく、例えば、巻きバネ等のものを用いることもできる。
【００４５】
本第１の実施形態のホルダ１において、容器が挿入されない状態においては、容器支持部材６が図１に示す開放位置に配置される。容器支持部材６が開放位置に配置されたとき、側面支持部７の上端面は筒部２の上端面１６とほぼ一致する位置に配置される。この側面支持部７の上端面が本第１の実施形態における押圧面１７を構成する。
【００４６】
このホルダ１に大形の容器１８を挿入する場合には、容器１８の底面２０が押圧面１７に接し、容器１８によって押圧面１７が押圧される。このため、側面支持部７は回動し図２に示す退避位置に配置される。そして、側面支持部７と一体に形成されている底面支持部８もまたこの回動に連動して回動して退避位置に配置される。このため、側面支持部７および底面支持部８は容器１８の挿入に干渉しない位置に配置されることとなり、容器１８の底面１２は筒部２によって支持されるため、容器１８は筒部２内部の低い位置で保持されることとなる。よって、大形の容器１８であっても安定して保持することが可能となる。また、容器１８をホルダ１から取出すると、容器１８による容器支持部材６の押圧は解除されるため、第２の付勢部材１５の付勢力によって側面支持部７および底面支持部８は突出位置方向に変位して容器支持部材６は再度開放位置に配置される。
【００４７】
なお、ホルダ１に保持する容器１８が、挿入の際に押圧面１７を押圧する程度に大形であるととも筒部２の大きさと略一致する程度に大きい場合には、容器１８の側面２１は図３に示すように筒部２の側面２２に支持される。
【００４８】
また、容器１８が挿入の際に押圧面１７を押圧する程度に大形であるとともに筒部２の大きさよりもやや小形である場合には、図２に示すように、容器支持部材６のうち側面支持部７が第２の付勢部材１５によって筒部２内部方向に付勢され、容器１８の側面２１に押付される。このため、容器１８の側面２１は容器支持部材６の側面支持部７によって支持されることとなる。なお、ホルダ１に第２の付勢部材１５を設けない場合では、挿入の際に押圧面１７を押圧する程度に大形であるとともに筒部２の大きさよりもやや小形である容器１８は、容器支持部材６によって底面１２のみを支持されることとなるが、容器１８は筒部２内部の低い位置で保持されるため、安定して保持されることとなる。
【００４９】
このホルダ１に小形の容器１８を挿入する場合には、容器１８の底面２０は押圧面１７よりも筒部２の内周側に挿入される。このため、押圧面１７が容器１８によって押圧されることはないか、或いは、容器１８の底面２０が押圧面１７よりも下側に挿入された後に押圧面１７が容器１８によって押圧されるため、図４に示すように、容器１８の底面２０は底面支持部８に当接する。このとき、底面支持部８が容器１８によって下方に押圧されて回動し、この底面支持部８と一体に形成されている側面支持部７もまた底面支持部８の回動に連動して回動する。このため、側面支持部７および底面支持部８は退避位置方向に変位して、容器支持部材６は拡径する。
【００５０】
ここで、本第１の実施形態のホルダ１において、側面支持部７は略長方形に形成され、側面支持部７のうち底面支持部８が配置されている側と逆側の端部である係止部９と回動軸との距離ｌ１は、容器１８と回動軸との距離ｌ２よりも大きくなっている。したがって、小形の容器１８をホルダ１に挿入する際には、側面支持部７の変位によってこの係止部９が容器１８の側面２１と係止して、容器支持部材６の拡縮径が停止する。このため、容器１８はその側面を側面支持部７によって支持され、その底面２０を底面支持部８によって支持されて筒部２内部の高い位置で保持されることとなる。容器１８が筒部２の高い位置で支持されることで、ホルダ１に一旦保持された容器１８の取り出し操作は非常に容易になる。また、容器１８の側面２１を側面支持部７によって支持されることで容器１８のがたつき等が防止され、小形の容器１８であってもより安定して保持されることとなる。
【００５１】
なお、容器１８が小形かつ軽量である場合には、容器１８による底面支持部８の押圧が、底面支持部８や側面支持部７が回動しない程度に小さい場合もあるが、この場合にも容器１８は少なくとも底面支持部８によって支持されて、筒部２内部の高い位置で保持される。
【００５２】
また、本第１の実施形態においてホルダ１には４つの分体４が２つずつ対向するように設けられて容器支持部材６が構成されているが、この個数は特に限定されるものではなく、１つのみの分体から容器支持部材６を構成することもできるし、２つ以上の分体４から容器支持部材６を構成することもできる。１つのみの分体４から容器支持部材６を構成する場合には、小形の容器１８の底面２０は１つの底面支持部８によって支持され、かつ、容器１８の側面２１は１つの側面支持部７とこの側面支持部７に対向する位置の筒部２の側壁面とによって支持されることとなる。また、２つ以上の分体４から容器支持部材６を構成する場合には、小形の容器１８の底面２０は２つ以上の底面支持部８によって支持され、かつ、容器１８の側面２１は２つ以上の側面支持部７によって支持されることとなる。容器１８をより安定して保持するためには、容器支持部材６は２つ以上の分体４から構成することがより好ましい。
【００５３】
また、本第１の実施形態においては、押圧面１７は側面支持部７の上端面から構成されているが、これに限らず、底面支持部８よりも上側に配置されて大形の容器１８によって筒部２内部の下方に押圧されるとともに、小形の容器１８を挿入する際に容器１８の底面２０が底面支持部８に到達することを阻害しないようなものであればよい。また、押圧面１７は平面状のものに限らず例えば湾曲面から構成することもできる。
【００５４】
さらに、１つの分体４に複数の底面支持部８および側面支持部７を設けることもできる。例えば、図５に示すように、側面支持部７および底面支持部８を階段状に形成する場合には、種々の形状の容器１８に対応することができ、特に軽量かつ小形の種々の形状の容器１８をより安定に保持することが可能となる。
【００５５】
（第２の実施形態）
本発明の第２の実施形態のホルダを表す模式斜視図を図６に示し、図６中Ａ−Ａ’における模式断面図を図７および図８に示し、図７中Ｂ−Ｂ’における模式断面図を図９および図１０に示し、図７中Ｃ−Ｃ’における模式断面図を図１１および図１２に示す。
【００５６】
本第２の実施形態のホルダ２３は、図６に示すように、回動軸２５が筒部２６の底面２７に対して垂直となるように筒部２６外部の３箇所に略等間隔で設けられているものであり、各々の回動軸２５には、上側に側面支持部２８が下側に底面支持部３０が回動軸２５を中心に回動可能に枢支されている。すなわち、本第２の実施形態のホルダ２３においては、各々別体の側面支持部２８と底面支持部３０とが３個ずつ設けられている。そして、同じ回動軸２５に枢支されている側面支持部２８と底面支持部３０とが１組の分体３９を構成し、３つの分体３９が容器支持部材３１を構成する。各々の側面支持部２８および底面支持部３０は略湾曲板状の形状を有し、狭幅の面に穴状の回動中心３２が設けられている。本第２の実施形態においては、側面支持部２８および底面支持部３０は、この狭幅の面を上下に向け回動軸２５に沿って上下に延びるように配置されている。
【００５７】
本第２の実施形態のホルダ２３において、筒部２６は第１の実施形態のホルダと同様の略筒状に形成されている。そして、筒部２６の上側には筒部２６の上側から下側へ伸びるスリット状の上側通過口３３が略等間隔の３箇所に設けられている。さらに、筒部２６の下側には、上側通過口３３と同様のスリット状の下側通過口３５が上側通過口３３と対応する３箇所に設けられている。本第２の実施形態のホルダ２３において、各々の側面支持部２８は、少なくとも回動軸２５に枢支されている端部と逆側の端部である第１の突出端２９が各々の上側通過口３３に挿入されている。また、各々の底面支持部３０もまた、少なくとも回動軸２５に枢支されている端部と逆側の端部である第２の突出端３６が各々の下側通過口３５に挿入されている。すなわち、各々の下側通過口３５は各々の底面支持部３０が出入する出入口となり、各々の上側通過口３３は各々の側面支持部２８が出入りする出入口となっている。
【００５８】
また、このホルダ２３においては、略筒状の筒部２６は筒形状の中心軸Ｌを中心として回動可能となっている。そして各々の回動軸２５は本体３７に固定されている。したがって、筒部２６を回転させると、図９〜図１２に示すように、本体３７に固定されている各々の回動軸２５は筒部２６の外周を相対的にスライドする。そしてこのとき、各々の回動軸２５に枢支されている側面支持部２８および底面支持部３０は各々対応する上側通過口３３または下側通過口３５に誘導され、この各通過口３３，３５を介して筒部２６内部に突出するか或いは筒部２６外方に配置されて、突出位置と退避位置との間で変位する。この変位によって各々の容器支持部材３１は拡縮径する。
【００５９】
本第２の実施形態のホルダ２３に小形の容器３８を保持する場合には、筒部２６を矢印Ｉ方向に回動させる。このとき、図９に示すように底面支持部３０が筒部２６の内周面から突出し突出位置に変位するとともに図１１に示すように側面支持部２８が筒部２６の内周面から突出し突出位置に変位して、容器支持部材３１は縮径する。したがって、図７に示すように、容器３８の底面４０を底面支持部３０によって支持するとともに容器３８の側面４１を側面支持部２８によって支持することが可能となる。また、このとき容器３８は底面４０を底面支持部３０によって支持されて筒部２６内部の高い位置で保持されることとなる。
【００６０】
大形の容器３８を保持する場合には、筒部２６を矢印ＩＩ方向に回動させる。このとき、図１０に示すように底面支持部３０が筒部２６の径方向外方に移動すると共に図１２に示すように側面支持部２８が筒部２６の径方向外方に移動して、容器支持部材３１が拡径する。したがって、図８に示すように、底面支持部３０および側面支持部２８によって容器３８の挿入が干渉されることはなく、容器３８の底面４０は筒部２６の底面２７に支持されて、容器３８は筒部２６内部の低い位置で保持されることとなる。したがって、大形の容器３８であっても安定して保持することが可能となる。
【００６１】
ここで、本第２の実施形態のホルダではこのとき容器３８の側面４１は側面支持部２８に支持されるが、容器３８の側面４１を筒部２６の側面２９で支持することもできる。例えば、上側通過口３３や下側通過口３５の筒部２６外側に側面支持部２８や底面支持部３０の抜け止めストッパ等を別途設けることで、側面支持部２８や底面支持部３０の退避位置を筒部２６外側にする場合には、容器３８の側面４１は筒部２６の側面２９で支持される。この場合、より大形の容器３８をより安定して保持することが可能となる。
【００６２】
さらに、本第２の実施形態のホルダ２３によると、底面支持部３０および側面支持部２８は筒部２６の底面２７に対して垂直となるように設けられている回動軸２５を中心に回動するようになっている。このため、容器３８の底面４０は面で支持されることとなり、容器３８はより安定して保持されることとなる。さらに、側面支持部２８が狭幅の面を上下に向けて上下に延びるように配置されていることから、容器３８の側面４１は上下に広い範囲で支持されることとなり、容器３８はさらに安定して保持されることとなる。
【００６３】
なお、本実施形態のホルダ２３においては、各々別体の側面支持部２８と底面支持部３０とから容器支持部材３１が構成されているが、上下に配置されている側面支持部２８と底面支持部３０とを連結し一体化することもできる。この場合には部品点数が低減されるため、ホルダ２３を製造する工数やコストを低減することができる。また、上下に配置されている側面支持部２８と底面支持部３０とを異なる回動軸２５で枢支し、各々別々に回動するものとすることもできる。この場合には、側面支持部２８と底面支持部３０とを別々に変位させることができるため、より多様な形状の容器３８をより安定して保持することが可能となる。
【００６４】
さらに、本実施形態のホルダ２３は３個ずつの側面支持部２８および底面支持部３０を持つものであるが、上記した第１の実施形態のホルダ２３と同様に側面支持部２８および底面支持部３０は１個ずつであっても良いし、或いは複数個ずつであっても良い。
【００６５】
そして、本実施形態のホルダ２３においては、筒部２６を回動させることで回動軸２５が筒部２６の外周を相対的にスライドする構成となっているが、回動軸２５を筒部２６の外周に沿って回動させることで回動軸２５が筒部２６の外周を相対的にスライドする構成とすることもできる。この場合にも同様に、各々の側面支持部２８や底面支持部３０は各々の通過口を介して筒部２６の内部に突出し或いは筒部２６の外方に配置されて突出位置と退避位置との間で変位し、容器支持部材３１は拡縮径することとなる。
【００６６】
なお、例えば図１３に示すようなスライドストッパ４３を別途設けることもできる。この場合、筒部２６の回動がスライドストッパ４３によって規制され、回動軸２５の筒部２６外周に対するスライドが規制されるため、過度のスライドによって側面支持部２８や底面支持部３０がスリットから抜出することや、筒部２６に押圧されて側面支持部２８や底面支持部３０が破損することが防止される。また、例えば図１３に示すようなロック機構３４を設けて、容器支持部材３１の変位位置をロックすることも可能である。この場合には、容器支持部材３１の変位位置がロックされるため、例えば運転における急制動等の外力がホルダ２３に加わった場合にも、容器３８はより安定して保持されることとなる。
【００６７】
上述した第１の実施形態および第２の実施形態は、何れも容器支持部材が筒部の内外を出入自在となるように保持されている例であるが、容器支持部材を筒部の内部に保持することもできる。容器支持部材が筒部の内部に保持される場合のホルダを第３の実施形態として以下に説明する。
【００６８】
（第３の実施形態）
本発明の第３の実施形態のホルダを表す一部切り欠き模式斜視図を図１４に示し、図１４中Ｄ−Ｄ’における模式断面図を図１５〜図１７に示す。尚、図１５は容器支持部材が縮径している様子を表し、図１７は容器支持部材が拡径している様子を表す。そして図１６は容器支持部材が拡径した状態と縮径した状態との間の状態にある様子を表す。
【００６９】
本第３の実施形態のホルダ５０では、筒部５１は通過口を持たない略筒状の形状に形成されている。また、容器支持部材５２は、筒部５１に対して同軸的に回動可能な回動部材５３と、回動部材５３の内側に配置される押圧部材５５とを備えている。
【００７０】
回動部材５３は略筒状の形状を持つ。回動部材５３の上端部５６は断面略コ字状に形成されており、回動部材５３を筒部５１内部に挿入すると、このコ字状内部が筒部５１の上端部５７と係合する。したがって、回動部材５３のうち筒部５１内部に挿入されている部分はこの係合によって筒部５１内部に筒部５１と同軸的に保持される。なお、筒部５１と回動部材５３との係合は、強固なものではないため、回動部材５３は筒部５１と同軸的に保持されつつ筒部５１の内周面５８に沿って回動可能となっている。
【００７１】
押圧部材５５は互いに離間しつつ配置されている２つの柱状体６０からなる。各々の柱状体６０は断面略半月形の形状をもち、略半月形の弦を構成する内側面６１同士が対向するように互いに離間しつつ配置されている。また、各々の柱状体６０は、第１の付勢部材６２を介して回動部材５３の内側に取付されている。本第３の実施形態のホルダ５０においては、押圧部材５５を構成する各々の柱状体６０の上面が底面支持部６３となり、各々の柱状体６０のうち筒部５１の径方向最内側に位置する内側面６１が側面支持部６５となる。
【００７２】
第１の付勢部材６２は巻きバネからなり、その一端が柱状体６０の湾曲面６６に固定され、他端が回動部材５３の内周面６７に固定されている。したがって、２つの柱状体６０は湾曲面６６を回動部材５３の内周面６７に向けつつ回動部材５３の内側に取付されることとなる。また、この第１の付勢部材６２は１つの柱状体６０の湾曲面６６に対して各々９個ずつ取付されている。
【００７３】
本第３の実施形態のホルダ５０において、容器支持部材５２は、さらに、短円柱状の干渉部６８を備えている。干渉部６８は、柱状体６０同士の間隙であり筒部５１の中心軸７０を挟んで対称となる位置に配置されるとともに、筒部５１の底面に固定されている。干渉部６８は、図１５に示すように、筒部５１の中心軸７０と干渉部６８との距離ｌ1が、筒部５１の中心軸７０と柱状体６０の内側面６１との距離ｌ2よりも大きくなるように配置されている。
【００７４】
本第３の実施形態のホルダ５０においては、回動部材５３と押圧部材５５と干渉部６８と第１の付勢部材６２とから容器支持部材５２が構成されており、このうち干渉部６８は筒部５１に固定されている。さらに、筒部５１は固定され回動しないようになっている。このため、回動部材５３を筒部５１と同軸的に回動させると、図１５〜図１７に示すように、容器支持部材５２のうち回動部材５３、押圧部材５５および第１の付勢部材６２は干渉部６８に対して相対的にスライドする。
【００７５】
本第３の実施形態のホルダ５０に小形の容器７１を保持する場合には、回動部材５３を矢印Ｉ方向に回動させ、各々の柱状体６０の内側面６１が２つの干渉部６８を通る平面と略平行となるように配置する。このとき、図１５に示すように、２つの柱状体６０が各々第１の付勢部材６２によって筒部５１の径方向内方に付勢されて干渉部６８の表面に接する位置にまで移動する。またこのとき柱状体６０の内側面６１が２つの干渉部６８を通る平面と略平行となるように配置されているため、各々の柱状体６０は非常に近接した位置にまで移動し、押圧部材５５が縮径する。
【００７６】
ここで、底面支持部６３および側面支持部６５は押圧部材５５を構成する柱状体６０に設けられていることから、押圧部材５５の縮径に伴って底面支持部６３および側面支持部６５が筒部５１の内周面５８から突出する突出位置に変位する。したがって、このとき容器支持部材５２は縮径することとなり、小形の容器７１の底面を底面支持部６３で支持することで小形の容器７１を筒部５１内部の高い位置で保持することが可能となる。なお、本第３の実施形態のホルダ５０では、底面支持部６３のうち筒部５１の径方向内方側の部分には略半月状の凹部７２が形成されている。このため、小形の容器７１の底面は底面支持部６３のうち凹部７２内部で保持されて非常に安定に保持されることとなる。
【００７７】
大形の容器７３を保持する場合には回動部材５３を矢印ＩＩ方向に回動させる。この回動で、容器支持部材５２のうち、回動部材５３と第１の付勢部材６２と押圧部材５５とが回動する。一方、干渉部６８は筒部５１に固定されているため回動しないため、押圧部材５５を構成する柱状体６０の内側面６１と干渉する。この干渉によって各々の柱状体６０は筒部５１の径方向外方側に押圧されて柱状体６０同士の間の間隙が大きくなり、図１６および図１７に示すように、押圧部材５５が拡径する。
【００７８】
この押圧部材５５の拡径によって、図１７に示すように、押圧部材５５の上面である底面支持部６３と押圧部材５５の内側面６１である側面支持部６５とが筒部５１の径方向外方に移動して退避位置に変位するため容器支持部材５２が拡径する。したがって、底面支持部６３および側面支持部６５によって大形の容器７３の挿入が干渉されることはなく、大形の容器７３の底面は図１４に示すように干渉部６８の上面に支持されるか、あるいは図１７に示すように、干渉部６８同士の間隙に位置する筒部５１の底面に支持されて、筒部５１内部の低い位置で保持される。そして、大形の容器７３の側面は柱状体６０の内側面６１である側面支持部６５によって支持される。このため、本第３の実施形態のホルダ５０によると、大形の容器７３をがたつきなく安定して保持することが可能となる。
【００７９】
さらに、大形の容器７３を保持する際に、一旦容器支持部材５２を拡径し、大形の容器７３を柱状体６０同士の間隙に挿入した後に、僅かに容器支持部材５２を縮径することで、付勢部材の付勢力によって大形の容器７３の側面を側面支持部６５で挟持することもできる。この場合には、大形の容器７３をより一層安定して保持することが可能となる。
【００８０】
なお、柱状体６０の内側面６１と２つの干渉部６８を通る平面とのなす角θが９０°に近づく程、押圧部材５５は干渉部６８により大きく押圧されて柱状体６０同士の間隙は大きくなる。このため、柱状体６０同士の間隙により大形の容器７３を保持することが可能となる。したがって、この角θを適宜調整することで、種々の大きさの容器を安定して保持することができる。
【００８１】
また、大形の容器７３の側面を支持せず底面のみを支持することもできる。この場合にも、大形の容器７３は筒部５１内部の低い位置で安定して保持される。
【００８２】
さらに、本第３の実施形態のホルダ５０では、小形の容器７１の底面を凹部７２内部で保持したが、凹部７２を設けずに小形の容器７１の底面を平らな底面支持部６３で保持することもできる。この場合にも小形の容器７１は筒部５１内部の高い位置で保持されるため、ホルダ５０に一旦保持された小形の容器７１の取り出し操作は非常に容易である。
【００８３】
本実施の形態では第１の付勢部材６２として巻きバネを用いたが、第１の付勢部材６２は押圧部材５５を縮径方向に付勢できるものであればよく、巻きバネに限らず板バネ等のものを用いることもできる。
【００８４】
そして、本第３の実施形態においては、干渉部６８は円柱形状の短尺の部材としたが、長尺の部材とすることもできる。長尺の部材とした場合には、柱状体の回動を軸方向の広い範囲で干渉するため、押圧部の拡縮がより滑らかにおこなわれる。
【実施例】
【００８５】
以下、本発明のホルダを図面を基にして説明する。
【００８６】
（実施例１）
本実施例１のホルダは、上述した第１の実施形態のホルダの他の例であり、容器支持部材の形状以外は上述した第１の実施例のホルダと同様に形成されている。本実施例１のホルダの模式断面図を図１８〜図２０に示す。
【００８７】
本実施例１のホルダ７５において容器支持部材７６は４つの分体７４からなる。各々の分体７４は、図１８に示すように、上端部が筒部７７内部に向けて延びる略長方形状の側面支持部７８と、側面支持部７８の下端から側面支持部７８に対して鈍角となるように延びる脚部８０と、脚部８０の下端から脚部８０に対して略直角方向に延びる底面支持部８１と、を持つ。この分体７４において、側面支持部７８と底面支持部８１とは脚部８０を介して一体化されている。側面支持部７８のうち上端面が押圧面８２となり、側面支持部７８のうち上部側かつ筒部７７内周側の端部が係止部８３となる。側面支持部７８と脚部８０との接合部には穴状の回動中心８５が設けられている。本実施例１のホルダ７５においては、容器支持部材７６の回動中心８５が、筒部７７の底面８６に対して平行に設けられている回動軸（図示せず）に枢支されて、回動軸に対して回動し変位するようになっている。
【００８８】
本実施例１のホルダ７５に大形の容器８７を挿入する場合には、大形の容器８７の底面８８によって押圧面８２が押圧されて、容器支持部材７６は回動軸を中心に回動して図１９に示す退避位置に変位する。このため、大形の容器８７の筒部７７内部への挿入が容器支持部材７６によって干渉されることはなく、大形の容器８７は筒部７７の底面８６によってその底面８８を支持されて、筒部７７の低い位置で保持されることとなる。
【００８９】
そして、本実施例１のホルダ７５に小形の容器８７を挿入する場合には、図２０に示すように、上述した第１の実施形態のホルダと同様に容器８７の底面８８は底面支持部８１に支持されるとともに、容器８７の側面９１と側面支持部７８の係止部８３とが係止して容器８７の側面９１が側面支持部７８に支持される。したがって、容器８７は筒部７７内部の高い位置で保持されることとなる。
【００９０】
これらのことから、本実施例１のホルダによると、小形の容器を高い位置で安定に保持するとともに大形の容器を低い位置で安定に保持することが可能となり、小形の容器から大形の容器まで種々の形状の容器に対応することが可能となる。
【００９１】
（実施例２）
本実施例２のホルダは、上述した第１の実施形態のホルダの他の例であり、容器支持部材の形状以外は上述した第１の実施例のホルダと同様に形成されているものである。本実施例２のホルダの模式断面図を図２１〜図２３に示す。
【００９２】
本実施例２のホルダ９２において、容器支持部材９３は２つの分体９４からなる。各々の分体９４は、図２１に示すように、各々別体で形成されている側面支持部９５と底面支持部９６とから構成される。側面支持部９５は一端部が上側に延びる略長方形状に形成されている。この側面支持部９５のうち上端面が押圧面９７となり、上部側かつ筒部１０１内部側の端部が係止部９８となる。側面支持部９５の下端部には側面支持部９５に対して略直角となるように筒部１０１外方に延びる回動枢支部１００が一体化されている。この回動枢支部１００は穴状の回動中心１０４を持ち、筒部１０１の底面９９に対して平行な回動軸（図示せず）を中心に回動するようになっている。
【００９３】
回動枢支部１００のうち側面支持部９５と一体化されていない側の端部には、回動枢支部１００に対して鋭角をなるように筒部１０１内部側に延びる脚部１０２が一体化されている。また、脚部１０２のうち回動枢支部１００と一体化されていない側の端部は筒部１０１外方に向けて略Ｌ字状に屈曲して、後述する底面支持部９６に対する抜け止めストッパ１０３を形成している。
【００９４】
底面支持部９６は断面略Ｌ字状の形状を有する。この底面支持部９６のうち、略Ｌ字の一端が筒部１０１の底面１０５に対して垂直に当接する支持端部１０６を構成し、他端が筒部１０１の底面１０５に対して平行となるように筒部１０１の外方に突出する操作端部１０７を構成している。操作端部１０７の端側には、貫通穴である駆動穴１０８が設けられている。この駆動穴１０８には、脚部１０２のうち抜け止めストッパ１０３が設けられている側の端部が挿通されている。
【００９５】
本実施例２のホルダ９２に大形の容器１１０を挿入する場合には、大形の容器１１０の底面１１１によって押圧面９７が押圧されて、図２２に示すように、側面支持部９５が回動軸を中心に回動し退避位置方向に変位する。このとき、側面支持部９５と一体化されている脚部１０２もまた側面支持部９５の回動に連動して回動する。さらに、駆動穴１０８より脚部１０２が挿通されている底面支持部９６は、脚部１０２の回動によって筒部１０１の径方向外方に押圧される。このとき底面支持部９６は、支持端部１０６が筒部１０１の底面１０５と当接しているため、筒部１０１の底面１０５によってガイドされつつ筒部１０１の径方向外方にスライドし、退避位置方向に変位する。よって、容器支持部材９３は拡径する。
【００９６】
容器支持部材９３が拡径することで、大形の容器１１０の筒部１０１内部への挿入が容器支持部材９３によって干渉されることはなく、大形の容器１１０は筒部１０１の底面１１２によってその底面１１１を支持されて、筒部１０１内部の低い位置で保持されることとなる。
【００９７】
そして、本実施例２のホルダ９２に小形の容器１１０を挿入する場合には、図２３に示すように、容器１１０の底面１１１は底面支持部９６に当接し、容器１１０の底面１１１が底面支持部９６に支持される。そして、容器１１０の側面１１４と側面支持部９５の係止部９８とが係止して容器１１０の側面１１４が側面支持部９５に支持される。このため、容器１１０は筒部１０１内部の高い位置で保持されることとなる。
【００９８】
以上のことから、本実施例２のホルダ９２によると、実施例１のホルダと同様に小形の容器から大形の容器まで種々の形状の容器に対応することが可能となる。
【００９９】
さらに、本実施例２のホルダ９２では、底面支持部が筒部の底面に対して略平行にスライドして変位することから、小形の容器の底面は面で支持されることとなる。したがって、容器の保持はさらに安定しておこなわれることとなる。
【０１００】
（実施例３）
本実施例３のホルダは、上述した第２の実施形態のホルダの他の例であり、底面支持部の形状以外は上述した第２の実施例のホルダと同様に形成されているものである。本実施例３のホルダの図６中Ａ−Ａ’と同位置における模式断面図を図２４および図２５に示し、図２４中Ｂ−Ｂ’における模式断面図を図２６および図２７に示す。
【０１０１】
本実施例３のホルダ１１５は、第２の実施形態のホルダと同様に、回動軸１１６が筒部１１７の底面１１８に対して垂直となるように略等間隔の３箇所に設けられているものである。また、第２の実施形態のホルダと同様に、各々別体の側面支持部１２０と底面支持部１２１とが３個ずつ設けられている。そして、同じ回動軸１１６に枢支されている側面支持部１２０と底面支持部１２１とが１組の分体１１９を構成するとともに、３つの分体１１９が容器支持部材を構成している。
【０１０２】
本実施例３のホルダ１１５において、各々の側面支持部１２０は、第２の実施形態のホルダと同様に形成されている。また、各々の底面支持部１２１は略扇形の板状に形成され、扇形の弧側に位置する突出端の一方には、対向する扇形の面に貫通するように穴状の回動中心１２３が設けられている。本実施例３のホルダ１１５においては、底面支持部１２１は、この広幅の面を上下に向けるとともに扇形の円心側を筒部１１７内部に向け扇形の弧側を筒部１１７外方に向けるように配置されている。さらに、回動中心１２３が設けられている側の突出端には、筒部１１７の径方向外方に向けて歯１２５が設けられている。また、この歯１２５は筒部１１７外部に筒部１１７と一体に設けられているラック１２６と噛合するようになっている。
【０１０３】
したがって、筒部１１７をその中心軸を中心として回動させる場合には、各々の底面支持部１２１は筒部１１７のラック１２６と噛合するピニオンとなり、筒部１１７の回動に連動して回動軸１１６を中心に回動するため、底面支持部１２１は図２６に示す突出位置から図２７に示す退避位置にまで変位する。このとき、各々の側面支持部１２０もまた第２の実施形態と同様に筒部１１７の回動に連動して突出位置から退避位置にまで変位する。この底面支持部１２１および側面支持部１２０の変位によって容器支持部材は拡縮径する。
【０１０４】
本実施例３のホルダ１１５に小形の容器を保持する場合には、筒部１１７を矢印Ｉ方向に回動させる。このとき、図２６に示すように底面支持部１２１が筒部１１７の径方向内方に移動して筒部１１７の内周面から突出する。そして、側面支持部１２０もまた第２の実施形態のホルダ１１５と同様に筒部１１７の径方向内方に移動して筒部１１７の内周面から突出する。このため、容器支持部材は縮径する。したがって、図２４に示すように、容器の底面を底面支持部１２１によって支持するとともに容器の側面を側面支持部１２０によって支持することが可能となる。
【０１０５】
このとき側面支持部１２０は、第２の実施形態のホルダ１１５と同様に、側面支持部１２０が狭幅の面を上下に向け上下に延びるように配置されていることから、容器の側面は上下に広い範囲で支持されることとなり、容器はより安定して保持されることとなる。また、底面支持部１２１は広幅の面を上下に向けて配置されているため、容器の底面はさらに広い面で支持されることとなり、容器はさらに安定して保持されることとなる。さらに、本実施例３のホルダ１１５においては、各々の底面支持部１２１のうち筒部１１７内周側の部分には略扇状の凹部１２４が形成され、突出位置において各々の凹部１２４は集まって略円形を形成するようになっている。このため、小形の容器を保持する場合には、容器の底面はこの凹部１２４の内部に挿入され凹部１２４の内部で保持されることとなるため、容器はより安定して保持される。さらにこのとき、容器は底面を底面支持部１２１によって支持されるため、小形の容器は筒部１１７内部の高い位置で保持されることとなる。
【０１０６】
大形の容器を保持する場合には、筒部１１７を矢印ＩＩ方向に回動させる。このとき、図２７に示すように底面支持部１２１が筒部１１７の径方向外方に移動するとともに、上述した第２の実施形態のホルダにおける場合と同様に、側面支持部１２０が筒部１１７の径方向外方に移動し（図１１参照）て、容器支持部材が拡径する。このため、図２５に示すように、底面支持部１２１および側面支持部１２０によって容器の挿入が干渉されることはなく、容器の底面は筒部１１７の底面１１８に支持されて、容器は筒部１１７内部の低い位置で保持されることとなる。したがって、大形の容器であっても安定して保持することが可能となる。
【０１０７】
このように、本実施例３のホルダ１１５によると、実施例１および実施例２のホルダと同様に小形の容器から大形の容器まで種々の形状の容器に対応することが可能となる。また、容器の底面は面で支持されることとなるため、容器の保持はより安定になされる。
【図面の簡単な説明】
【０１０８】
【図１】本発明の第１の実施形態のホルダを表す模式断面図である。
【図２】本発明の第１の実施形態のホルダを表す模式断面図である。
【図３】本発明の第１の実施形態のホルダを表す模式断面図である。
【図４】本発明の第１の実施形態のホルダを表す模式断面図である。
【図５】第１の実施形態のホルダにおける容器支持部材の他の例を示す模式断面図である。
【図６】本発明の第２の実施形態のホルダを表す模式斜視図である。
【図７】図６中Ａ−Ａ’における模式断面図である。
【図８】図６中Ａ−Ａ’における模式断面図である。
【図９】図７中Ｂ−Ｂ’における模式断面図である。
【図１０】図７中Ｂ−Ｂ’における模式断面図である。
【図１１】図７中Ｃ−Ｃ’における模式断面図である。
【図１２】図７中Ｃ−Ｃ’における模式断面図である。
【図１３】第２の実施形態のホルダの他の例を表す模式断面図である。
【図１４】第３の実施形態のホルダを表す一部切り欠き模式断面図である。
【図１５】図１４中Ｄ−Ｄ’における模式断面図である。
【図１６】図１４中Ｄ−Ｄ’における模式断面図である。
【図１７】図１４中Ｄ−Ｄ’における模式断面図である。
【図１８】本発明の実施例１のホルダの模式断面図である。
【図１９】本発明の実施例１のホルダの模式断面図である。
【図２０】本発明の実施例１のホルダの模式断面図である。
【図２１】本発明の実施例２のホルダの模式断面図である。
【図２２】本発明の実施例２のホルダの模式断面図である。
【図２３】本発明の実施例２のホルダの模式断面図である。
【図２４】本発明の実施例３のホルダの図６中Ａ−Ａ’と同位置における模式断面図である。
【図２５】本発明の実施例３のホルダの図６中Ａ−Ａ’と同位置における模式断面図である。
【図２６】本発明の実施例３のホルダの図２０中Ｂ−Ｂ’における模式断面図である。
【図２７】本発明の実施例３のホルダの図２０中Ｂ−Ｂ’における模式断面図である。
【図２８】従来のホルダを表す模式断面図である。
【図２９】従来のホルダを表す模式断面図である。
【図３０】従来のホルダを表す模式断面図である。
【符号の説明】
【０１０９】
１：ホルダ  ２：筒部  ３：本体  ６：容器支持部材  ７：側面支持部  ８：底面支持部    ９：係止部  １３：滑り止め部材  １５：第２の付勢部材  １７：押圧面
２３：ホルダ  ２６：筒部  ２８：側面支持部  ３０：底面支持部  ３１：容器支持部
５０：ホルダ  ５１：筒部  ５２：容器支持部材  ５３：回動部材  ５５：押圧部材  ６３：底面支持部  ６５：側面支持部  ６８：干渉部
７５：ホルダ  ７６：容器支持部材  ７７：収容凹部  ７８：側面支持部  ８１：底面支持部  ８２：押圧面  ８３：係止部
９２：ホルダ  ９３：容器支持部材  ９５：側面支持部  ９６：底面支持部
１１５：ホルダ  １１７：筒部  １２０：側面支持部  １２１：底面支持部
【図１】
2005059833.tif 000003
【図２】
2005059833.tif 000004
【図３】
2005059833.tif 000005
【図４】
2005059833.tif 000006
【図５】
2005059833.tif 000007
【図６】
2005059833.tif 000008
【図７】
2005059833.tif 000009
【図８】
2005059833.tif 000010
【図９】
2005059833.tif 000011
【図１０】
2005059833.tif 000012
【図１１】
2005059833.tif 000013
【図１２】
2005059833.tif 000014
【図１３】
2005059833.tif 000015
【図１４】
2005059833.tif 000016
【図１５】
2005059833.tif 000017
【図１６】
2005059833.tif 000018
【図１７】
2005059833.tif 000019
【図１８】
2005059833.tif 000020
【図１９】
2005059833.tif 000021
【図２０】
2005059833.tif 000022
【図２１】
2005059833.tif 000023
【図２２】
2005059833.tif 000024
【図２３】
2005059833.tif 000025
【図２４】
2005059833.tif 000026
【図２５】
2005059833.tif 000027
【図２６】
2005059833.tif 000028
【図２７】
2005059833.tif 000029
【図２８】
2005059833.tif 000030
【図２９】
2005059833.tif 000031
【図３０】
2005059833.tif 000032